(57)【特許請求の範囲】
【請求項１】
建物の側壁近傍に配置されるガス栓の上流側端部に回動可能に設けられた接続ナットを圧力調整器の下流側端部に螺合させて締め付けることにより、ガス栓の上流側端部に固定される圧力調整器が上記接続ナットの軸線を中心として回動するのを阻止するための回り止め装置であって、上記建物の側壁に固定される装置本体を備え、この装置本体には、上記圧力調整器に係合して圧力調整器の上記接続ナットの軸線を中心とする回動を阻止する係合部が設けられ、
上記係合部が、上記接続ナットと軸線を一致させた上記圧力調整器の下流側端部の外周に回動不能に嵌合する係合孔として形成され、
上記装置本体に、上記側壁側の基端面から上記係合孔の内周面に達するスリットが形成され、このスリットの幅を拡大させて上記圧力調整器の下流側端部をスリットを介して上記係合孔に挿入することができるよう、上記装置本体が変形可能とされ、上記装置本体が上記スリットを間にした少なくとも２箇所で上記側壁に固定されることを特徴とする圧力調整器の回り止め装置。
【請求項２】
建物の側壁近傍に配置されるガス栓の上流側端部に回動可能に設けられた接続ナットを圧力調整器の下流側端部に螺合させて締め付けることにより、ガス栓の上流側端部に固定される圧力調整器が上記接続ナットの軸線を中心として回動するのを阻止するための回り止め装置であって、上記建物の側壁に固定される装置本体を備え、この装置本体には、上記圧力調整器に係合して圧力調整器の上記接続ナットの軸線を中心とする回動を阻止する係合部が設けられ、
上記装置本体が、上記側壁に固定される基部と、上記係合部を有し、上記基部に上記側壁に対して接近離間する方向へ位置調節可能に設けられた可動部と、この可動部を上記基部に固定する固定手段とを備えていることを特徴とする圧力調整器の回り止め装置。
【請求項３】
上記係合部が、上記接続ナットと軸線を一致させた上記圧力調整器の下流側端部の外周に回動不能に嵌合する係合孔として形成されていることを特徴とする請求項２に記載の回り止め装置。
【請求項４】
上記可動部に、上記基部側の基端面から上記係合孔の内周面に達するスリットが形成され、このスリットの幅を拡大させて上記圧力調整器の下流側端部をスリットを介して上記係合孔に挿入することができるよう、上記可動部が変形可能とされ、上記可動部が上記スリットを間にした少なくとも２箇所で上記基部に固定されることを特徴とする請求項３に記載の圧力調整器の回り止め装置。
【請求項５】
建物の側壁近傍に配置されるガス栓の上流側端部に回動可能に設けられた接続ナットを圧力調整器の下流側端部に螺合させて締め付けることにより、ガス栓の上流側端部に固定される圧力調整器が上記接続ナットの軸線を中心として回動するのを阻止するための回り止め装置であって、上記建物の側壁に固定される装置本体を備え、この装置本体には、上記圧力調整器に係合して圧力調整器の上記接続ナットの軸線を中心とする回動を阻止する係合部が設けられ、
上記装置本体が上記係合部を二つ有しており、この二つの係合部が上記圧力調整器と上記接続ナットの軸線から離れた２箇所で係合し、
係合部が略Ｃ字状に形成され、かつその開放部分から上記圧力調整器の係合箇所を挿脱することができるよう、弾性的に拡縮径可能とされていることを特徴とする圧力調整器の回り止め装置。
【請求項６】
上記装置本体が、上記側壁に固定される基部と、上記二つの係合部を有し、上記基部に上記側壁に対して接近離間する方向へ位置調節可能に設けられた可動部と、この可動部を上記基部に固定する固定手段とを備えていることを特徴とする請求項５に記載の圧力調整器の回り止め装置。
【発明の詳細な説明】
【０００１】
【発明の属する技術分野】
この発明は、ガス栓の上流側端部に取り付けられる圧力調整器の回り止め装置に関する。
【０００２】
【従来の技術】
一般に、プロパンガスのボンベからガスメータに至る配管系には、圧力調整器およびガス栓が設置されている。通常、圧力調整器は、その下流側端部がガス栓の上流側端部に設けられた接続ナットに螺合される。そして、接続ナットを締め付けることにより、ガス栓の上流側端部に押圧固定されている。
【０００３】
接続ナットによる固定構造では、圧力調整器に比較的大きな力が作用して回動すると、接続ナットによる締め付けが緩むことがある。接続ナットが一旦緩むと、徐々により大きく緩み、ガス漏れのおそれがある。そこで、圧力調整器とガス栓との各突き合わせ面に凹凸を形成し、この凹凸を嵌め合わせることによって圧力調整器の回り止めを行うようにしたものがある。
【０００４】
【発明が解決しようとする課題】
上記のような回り止め構造では、凹凸が嵌合していなくとも圧力調整器を接続ナットによってガス栓に取り付けることができてしまう。しかも、凹凸が接続ナットによって覆われるため嵌合しているか否かを目視することができない。このため、凹凸を嵌合させずに接続ナットを締め付けてしまうことがあり、そのような場合には圧力調整器の回り止め機能を発揮させることができないのみならず、ガス栓と圧力調整器との間に凸部の高さの分だけ隙間が生じ、そこからガスが漏れるおそれがある。
【０００５】
【課題を解決するための手段】
この発明は、上記の問題を解決するためになされたもので、建物の側壁近傍に配置されるガス栓の上流側端部に回動可能に設けられた接続ナットを圧力調整器の下流側端部に螺合させて締め付けることにより、ガス栓の上流側端部に固定される圧力調整器が上記接続ナットの軸線を中心として回動するのを阻止するための回り止め装置であって、上記建物の側壁に固定される装置本体を備え、この装置本体には、上記圧力調整器に係合して圧力調整器の上記接続ナットの軸線を中心とする回動を阻止する係合部が設けられ、上記係合部が、上記接続ナットと軸線を一致させた上記圧力調整器の下流側端部の外周に回動不能に嵌合する係合孔として形成され、上記装置本体に、上記側壁側の基端面から上記係合孔の内周面に達するスリットが形成され、このスリットの幅を拡大させて上記圧力調整器の下流側端部をスリットを介して上記係合孔に挿入することができるよう、上記装置本体が変形可能とされ、上記装置本体が上記スリットを間にした少なくとも２箇所で上記側壁に固定されることを特徴としている。
【０００６】
この発明は、上記の問題を解決するためになされたもので、建物の側壁近傍に配置されるガス栓の上流側端部に回動可能に設けられた接続ナットを圧力調整器の下流側端部に螺合させて締め付けることにより、ガス栓の上流側端部に固定される圧力調整器が上記接続ナットの軸線を中心として回動するのを阻止するための回り止め装置であって、上記建物の側壁に固定される装置本体を備え、この装置本体には、上記圧力調整器に係合して圧力調整器の上記接続ナットの軸線を中心とする回動を阻止する係合部が設けられ、上記装置本体が、上記側壁に固定される基部と、上記係合部を有し、上記基部に上記側壁に対して接近離間する方向へ位置調節可能に設けられた可動部と、この可動部を上記基部に固定する固定手段とを備えていることを特徴としている。
この場合、上記係合部が、上記接続ナットと軸線を一致させた上記圧力調整器の下流側端部の外周に回動不能に嵌合する係合孔として形成されていることが望ましい。
上記可動部には、上記基部側の基端面から上記係合孔の内周面に達するスリットが形成され、このスリットの幅を拡大させて上記圧力調整器の下流側端部をスリットを介して上記係合孔に挿入することができるよう、上記可動部が変形可能とされ、上記可動部が上記スリットを間にした少なくとも２箇所で上記基部に固定されることが望ましい。
【０００７】
この発明は、上記の問題を解決するためになされたもので、建物の側壁近傍に配置されるガス栓の上流側端部に回動可能に設けられた接続ナットを圧力調整器の下流側端部に螺合させて締め付けることにより、ガス栓の上流側端部に固定される圧力調整器が上記接続ナットの軸線を中心として回動するのを阻止するための回り止め装置であって、上記建物の側壁に固定される装置本体を備え、この装置本体には、上記圧力調整器に係合して圧力調整器の上記接続ナットの軸線を中心とする回動を阻止する係合部が設けられ、上記装置本体が上記係合部を二つ有しており、この二つの係合部が上記圧力調整器と上記接続ナットの軸線から離れた２箇所で係合し、係合部が略Ｃ字状に形成され、かつその開放部分から上記圧力調整器の係合箇所を挿脱することができるよう、弾性的に拡縮径可能とされていることを特徴としている。
この場合、上記装置本体が、上記側壁に固定される基部と、上記二つの係合部を有し、上記基部に上記側壁に対して接近離間する方向へ位置調節可能に設けられた可動部と、この可動部を上記基部に固定する固定手段とを備えていることが望ましい。
【０００８】
【発明の実施の形態】
以下、この発明の実施の形態について図１〜図１７を参照して説明する。
図１〜図９に示すこの発明の一実施の形態について説明するに、まずこの発明に係る圧力調整器の回り止め装置１が採用された配管系について説明すると、図１において符号２は、この発明の回り止め装置１が回り止めすべき圧力調整器である。この圧力調整器２の上端側の両側部には、二つのガス接続部２１，２２が左右に突出形成されている。各ガス管接続部２１，２２は、ガス管Ｇ１，Ｇ２を介してガスボンベ（図示せず）がそれぞれ接続されている。したがって、圧力調整器２には一方のガスボンベからガスが供給され、そのガスの圧力を所定の大きさに調節する。そして、当該一方のガスボンベが空になると、ガスの供給元を他方のガスボンベに切り替えるとともに、他方のガスボンベから供給されるガスの圧力を所定の大きさに調節する。
【０００９】
圧力調整器２の下端部（下流側端部）は、ガス栓３の上端部（上流側端部）に接続固定されている。すなわち、図５に示すように、ガス栓３の上端部には、軸線を上下方向に向けた接続ナット４が抜け止めされた状態で回動自在に設けられている。そして、この接続ナット４に圧力調整器２の下端部を螺合させて締め付けると、圧力調整器２の下端面がパッキンＰを介してガス栓３の上端面に押圧固定される。この固定状態では、圧力調整器２の下端部が接続ナット４と軸線を一致させている。
【００１０】
ガス栓２の下流側は、ガス管Ｇ３を介してガスメータＭの導入側に接続されている。ガスメータＭの導出側には、ガス管Ｇ４が接続されている。このガス管Ｇ４は、家庭用のガス機器（図示せず）に接続されている。したがって、ガスボンベから供給されるガスは、ガス管Ｇ１またはＧ２、圧力調整器２、ガス栓３、ガス管Ｇ３、ガスメータＭおよびガス管Ｇ４を介して家庭のガス機器に供給される。
【００１１】
ガス管Ｇ３，Ｇ４は、剛性を有しており、建物の側壁Ｗに固定されている。したがって、ガス栓３およびガスメータ４は、ガス管Ｇ３，Ｇ４を介して側壁Ｗに固定されている。圧力調整器２は、ガス栓３およびガス管Ｇ３を介して側壁Ｗに固定されている。ガス栓３は、それ自体を側壁Ｗに直接固定してもよい。
【００１２】
次に、圧力調整器２の回り止め装置１について説明すると、回り止め装置１は、装置本体１０を備えている。この装置本体１０は、図６〜図９に示すように、基端部（側壁Ｗ側の端部）に形成された取付部１１と、この取付部１１に側壁Ｗから前方へ向う方向へ立設された連結部１２と有している。
【００１３】
上記取付部１１は、側壁器Ｗと平行な平板状に形成されており、その両端部には、挿通孔１１ａ，１１ａがそれぞれ形成されている。そして、各挿通孔１１ａ，１１ａに挿通されたボルト（固定手段）５，５を側壁Ｗに螺合させて締め付けることにより、装置本体１０が側壁Ｗに固定されている。
【００１４】
上記連結部１２の先端部（側壁Ｗから離れた端部）には、これを上下方向に貫通する係合孔１２ａが形成されている。この係合孔１２ａは、圧力調整器２の下端部に形成された断面六角形のスパナ掛け部２３とほぼ同一形状、同一寸法に形成されており、同スパナ掛け部２３に嵌合することにより、接続ナット４の軸線を中心とする圧力調整器２の回動を阻止する。
【００１５】
ここで、上記スパナ掛け部２３は、接続ナット４を締め付ける際に用いられるものであり、大部分の圧力調整器２の下端部に形成されている。そこで、この装置１では、スパナ掛け部２３を係合孔１２ａに回動不能に嵌合する嵌合部として利用することにより、既存の圧力調整器２に手を加えることなく、その回動を阻止するようにしたものである。スパナ掛け部２３が形成されていない圧力調整器もあるが、そのような圧力調整器の場合には、その下端部外周面の一側部に平面部を形成して、嵌合部の断面形状をＤ字状にしてもよく、あるいは平面部を一側部と他側部とにそれぞれ形成して断面小判状にしてもよい。勿論、そのような場合には、係合孔１２ａの断面形状も圧力調整器の嵌合部の形状に対応させて、Ｄ形状、または小判状に形成する。
【００１６】
図４および図６〜図９に示すように、装置本体１０には、その基端面から係合孔１２ａの内周面に達するスリット１３が形成されている。このスリット１３は、取付部１１を左右に二分するよう、二つの挿通孔１１ａ，１１ａの中央を通り、しかも係合孔１２ａの中心に向うように配置されている。係合孔１２ａを間にしてスリット１３と対向する連結部１２の先端部は、その厚さが比較的薄くなっている。これにより、装置本体１０は、図４において想像線で示すように、先端部を変形させてスリット１３の幅が広げることが可能であり、スリット１３の幅をスパナ掛け部２３が通り抜け可能になるまで広げることにより、スパナ掛け部２３を、スリット１３を通して係合孔１２ａに挿入することができる。よって、圧力調整器２がガス栓３に予め固定されていた場合であっても、係合孔１２ａにスパナ掛け部２３を嵌合させることができる。嵌合させた後、装置本体１０を元の形状（図４において実線で示す形状）に戻し、装置本体１０をボルト５，５で固定すると、装置本体１０がスリット１３を間にした２箇所で側壁Ｗに固定される。したがって、側壁Ｗに固定された後、装置本体１０がスリット１０から広がってしまうことはない。
【００１７】
上記のように、この圧力調整器の回り止め装置１では、側壁Ｗに固定された装置本体の係合孔１２ａを圧力調整器２の下端部に形成されたスパナ掛け部２３に回動不能に嵌合させているから、圧力調整器２が接続ナット４の回動軸線を中心として回動するのを防止することができる。したがって、圧力調整器２の回動に起因して接続ナット４が緩むのを確実に防止することができる。
【００１８】
次に、この発明の他の実施の形態について説明する。
図１０はこの発明の第２の実施の形態を示すものであり、この実施の形態の回り止め装置１Ａにおいては、側壁Ｗと装置本体１０の取付部１１との間にスペーサ６が配置されている。このスペーサ６は、係合孔１２ａの側壁Ｗからの高さを調整するためのものであり、各種の厚さを有するものが予め準備されている。そして、スパナ掛け部２３の側壁Ｗからの高さに応じて適宜の厚さのスペーサ６が用いられる。これにより、圧力調整器２のスパナ掛け部２３の側壁Ｗからの高さに誤差があるような場合にも対応することができるようになっている。
【００１９】
図１１〜図１４はこの発明の第３の実施の形態を示すものである。この実施の形態の装置１Ｂにおいては、装置本体１０に代えて装置本体１０′が用いられている。装置本体１０′は、スペーサ６を用いることなく、係合孔１２ａの側壁Ｗからの高さを調節することができるようになっている。
【００２０】
すなわち、装置本体１０′は、取付部１１を有する基部１０Ａと、係合孔１２ａを有する可動部１０Ｂとから構成されている。基部１０Ａの取付部１１の前面中央部には、前方へ向かって水平方向に突出するガイド部１４が形成されている。一方、可動部１０Ｂの取付部１１側を向く基端面には、ガイド部１４にスライド可能に嵌合するスライド孔１５が形成されている。そして、可動部１０Ｂを前後にスライドさせることにより、係合孔１２ａの側壁Ｗからの高さを適宜調節することができるようになっている。高さ調節後は、可動部１Ｂおよびガイド部１４にそれぞれ形成された貫通孔１６，１７を貫通するボルト７Ａおよびこれに螺合されたナット７Ｂを締め付けることにより、可動部１０Ｂが基部１０Ａに固定される。なお、貫通孔１７は、可動部１０Ｂのスライド方向へ長い長孔として形成されており、その分だけ可動部１０Ｂがスライド可能である。勿論、貫通孔１６を長孔にしてもよい。
【００２１】
また、可動部１０Ｂには、可動部１０Ｂの基端面から係合孔１２ａまで延びるスリット１３が形成されている。したがって、この回り止め装置１Ｂにおいても、圧力調整器２が側壁Ｗに固定された後においても、係合孔１２ａに圧力調整器２のスパナ掛け部２３を嵌合させることができる。しかも、ボルト７Ａおよびナット７Ｂを締め付けると、スリット１３によって二分される可動部１０Ｂの両側部がガイド部１４に固定されるので、スリット１３および係合孔１２ａが広がることはない。
【００２２】
図１５〜図１７は、この発明の第４の実施の形態を示す図である。この実施の形態の回り止め装置１Ｃにおいては、圧力調整器２の回動を阻止するために、上記スパナ掛け部２３に代えて、左右のガス管接続部２１，２２が用いられている。また、装置本体１０′に代えて装置本体１０″が用いられている
【００２３】
装置本体１０″は、側壁Ｗに固定される基部１０Ａと、この基部１０Ａに前後方向（側壁Ｗに接近離間する方向）へ位置調節可能に設けられて可動部１０Ｂとから構成されている。この点は、装置本体１０′と同様である。しかし、基部１０Ａおよび可動部１０Ｂは、金属製の板材によって構成されており、基部１０Ａは、側壁Ｗに固定される取付部１１と、そこから垂直に起立するガイド部１４とを有している。一方、可動部１０Ｂは、その貫通孔１６が長孔として形成されることにより、ガイド部１４に対して側壁Ｗから離間接近する方向へ位置調節可能になっている。勿論、基部１０Ａの貫通孔１７を長孔としてもよい。
【００２４】
可動部１０Ｂの両側部には、係合部１８、１９がそれぞれている。各係合部１８，１９は、その一部が開放されることによって略Ｃ字状をなしており、拡縮径可能である。各係合部１８，１９の内径は、ガス管接続部２１，２２の外径とほぼ同径か若干小径である。開放部の幅は、自然状態では、ガス管接続部２１，２２の外径より狭くなっているが、各係合部１８，１９を拡大変形させることにより、ガス管接続部２１，２２の外径より広げることができる。したがって、各係合部１８，１９には、それぞれの開放部からガス管接続部２１，２２を嵌合させることができる。そして、係合部１８，１９にガス管接続部２１，２２を嵌合させることにより、圧力調整器２の回動が阻止されている。
【００２５】
【発明の効果】
以上説明したように、この発明に係る圧力調整器の回り止め装置によれば、ガス漏れが発生することなく、圧力調整器の回動を確実に防止することができ、それによって圧力調整器をガス栓に固定している接続ナットが緩むのを防止することができるという効果が得られる。
【図面の簡単な説明】
【図１】この発明の一実施の形態を示す一部省略正面図である。
【図２】同装置の要部を示す正面図である。
【図３】同装置の要部を示す側面図である。
【図４】図２のＸ−Ｘ線に沿う拡大断面図である。
【図５】図３のＸ−Ｘ線に沿う拡大断面図である。
【図６】同実施の形態において用いられている装置本体を示す正面図である。
【図７】図６のＸ−Ｘ線に沿う断面図である。
【図８】同装置本体の平面図である。
【図９】同装置本体の底面図である。
【図１０】この発明の第２の実施の形態を示す図４と同様の断面図である。
【図１１】この発明の第３の実施の形態において用いられている装置本体を示す正面図である。
【図１２】同装置本体の平面図である。
【図１３】同装置本他の正面断面図である。
【図１４】図１１のＸ−Ｘ線に沿う断面図である。
【図１５】この発明の第４の実施の形態を示す一部省略正面図である。
【図１６】同実施の形態の側面図である。
【図１７】同実施の形態の平面図である。
【符号の説明】
Ｗ  側壁
１  圧力調整器の回り止め装置
１Ａ  圧力調整器の回り止め装置
１Ｂ  圧力調整器の回り止め装置
１Ｃ  圧力調整器の回り止め装置
２  圧力調整器
３  ガス栓
４  接続ナット
１０  装置本体
１０′  装置本体
１０″  装置本体
１０Ａ  基部
１０Ｂ  可動部
１１  取付部
１１ａ  挿通孔
１２ａ  係合孔
１３  スリット
１４  ガイド部
１８  係合部
１９  係合部
【図１】
0004614480.tif 000002
【図２】
0004614480.tif 000003
【図３】
0004614480.tif 000004
【図４】
0004614480.tif 000005
【図５】
0004614480.tif 000006
【図６】
0004614480.tif 000007
【図７】
0004614480.tif 000008
【図８】
0004614480.tif 000009
【図９】
0004614480.tif 000010
【図１０】
0004614480.tif 000011
【図１１】
0004614480.tif 000012
【図１２】
0004614480.tif 000013
【図１３】
0004614480.tif 000014
【図１４】
0004614480.tif 000015
【図１５】
0004614480.tif 000016
【図１６】
0004614480.tif 000017
【図１７】
0004614480.tif 000018